(57)【要約】【課題】断熱扉の変形を低減して貯蔵室の密閉性を向上できる冷蔵庫を提供する。【解決手段】外面側に配される外面板４と、外面板４に対して所定間隔を有して内面側に配される内面板５と、外面板４及び内面板５の上端に被嵌される上キャップ６と、外面板４及び内面板５の下端に被嵌される下キャップ７と、外面板４と内面板５の間に充填される発泡断熱材８とを有して貯蔵室２を開閉する断熱扉３を備えた冷蔵庫１において、上キャップ６及び下キャップ７に細孔６ａ、７ａを設けた。【選択図】図２
2008304075.tif 000002
【特許請求の範囲】
【請求項１】
外面側に配される外面板と、前記外面板に対して所定間隔を有して内面側に配される内面板と、前記外面板及び前記内面板の上端に被嵌される上キャップと、前記外面板及び前記内面板の下端に被嵌される下キャップと、前記外面板と前記内面板の間に充填される発泡断熱材とを有して貯蔵室を開閉する断熱扉を備えた冷蔵庫において、前記上キャップ及び前記下キャップに細孔を設けたことを特徴とする冷蔵庫。
【請求項２】
前記貯蔵室の周囲に密着する可撓性のパッキンを前記内面板の周部に設けたことを特徴とする請求項１に記載の冷蔵庫。
【請求項３】
前記断熱扉の背面または背面近傍に前記細孔を形成したことを特徴とする請求項１または請求項２に記載の冷蔵庫。
【請求項４】
前記上キャップの背面に前記細孔を設けるとともに、前記下キャップの下面に前記細孔を設けたことを特徴とする請求項３に記載の冷蔵庫。
【請求項５】
前記上キャップの上面から下方に突出して前記内面板に対向する第１リブを有し、第１リブに貫通孔を設けたことを特徴とする請求項１〜請求項４のいずれかに記載の冷蔵庫。
【請求項６】
前記下キャップの下面から上方に突出して前記内面板に対向する第２リブを有し、第２リブに貫通孔を設けたことを特徴とする請求項１〜請求項５のいずれかに記載の冷蔵庫。
【発明の詳細な説明】
【技術分野】
【０００１】
本発明は、貯蔵室を断熱扉により開閉する冷蔵庫に関する。
【背景技術】
【０００２】
従来の冷蔵庫の断熱扉は特許文献１に開示されている。図６はこの断熱扉の断面図を示している。断熱扉３は貯蔵室の前面開口部を開閉し、外面側に配される外面板４により正面及び側面が覆われる。断熱扉３の内面側には内面板５が配される。外面板４及び内面板５の上端には上キャップ６が被嵌される。外面板４及び内面板５の下端には下キャップ７が被嵌される。外面板４と内面板５の間には発泡ウレタン等の発泡断熱材８が充填される。
【０００３】
内面板５の周部には環状のパッキン９が設けられる。パッキン９は可撓性の樹脂等から成り、マグネット９ａが内装される。マグネット９ａによりパッキン９が貯蔵室の周囲に密着して貯蔵室内が密閉される。
【０００４】
断熱扉３は外面板４及び内面板５に上キャップ６及び下キャップ７を被嵌し、外面板４の正面側を下方にして内面板５の略中央部から発泡断熱材８の原液が注入される。発泡断熱材８の原液は周囲に流動して発泡成長する。これにより、断熱扉３内に発泡断熱材８が充填される。
【０００５】
【特許文献１】特開２０００−１８８０５号公報（第２頁−第３頁、第１図）
【特許文献２】特開２００３−１４３６９号公報（第２頁−第４頁、第３図）
【発明の開示】
【発明が解決しようとする課題】
【０００６】
しかしながら、上記従来の断熱扉３によると、発泡断熱材８の硬化時の収縮によって断熱扉３は内部に向けて収縮力を受ける。発泡断熱材８の原液は下方の外面板４側から順に発泡するため断熱扉３の内面板５側の周部には断熱扉３内部のガスが溜まってボイド１０が発生し易い。
【０００７】
このため、上キャップ６及び下キャップ７の内面側はボイド１０によって発泡断熱材８の収縮力が加わると容易に変形する。これにより、内面板５の上下の端部では特に幅方向の中央部の変形量が大きくなり、パッキン９に反りが発生して貯蔵室の密閉性が損なわれる問題があった。
【０００８】
上キャップ６及び下キャップ７の変形は上キャップ６や下キャップ７の肉厚を３ｍｍ程度に厚くして低減することができる。また、上キャップ６や下キャップ７内に金属アングルを設けることにより低減することができる。更に、発泡ウレタンの密度を高くすることにより低減することができる。しかし、これらにより冷蔵庫１のコストが増大する新たな問題が生じる。また、パッキン９の硬度を下げてマグネットの吸着力により延び易くしてもよいが、断熱扉３の開閉時に枢支軸側で延びたパッキン９が巻込まれる問題が生じる。
【０００９】
本発明は、簡単に断熱扉の変形を低減して貯蔵室の密閉性を向上できる冷蔵庫を提供することを目的とする。
【課題を解決するための手段】
【００１０】
上記目的を達成するために本発明は、外面側に配される外面板と、前記外面板に対して所定間隔を有して内面側に配される内面板と、前記外面板及び前記内面板の上端に被嵌される上キャップと、前記外面板及び前記内面板の下端に被嵌される下キャップと、前記外面板と前記内面板の間に充填される発泡断熱材とを有して貯蔵室を開閉する断熱扉を備えた冷蔵庫において、前記上キャップ及び前記下キャップに細孔を設けたことを特徴としている。
【００１１】
この構成によると、対向配置される外面板及び内面板の上下端に上キャップ及び下キャップを被嵌し、断熱扉の内部に発泡断熱材の原液が注入される。発泡断熱材の原液は周囲に流動して発泡成長し、上キャップ及び下キャップに設けた細孔から断熱扉内のガスが流出する。
【００１２】
また本発明は、上記構成の冷蔵庫において、前記貯蔵室の周囲に密着する可撓性のパッキンを前記内面板の周部に設けたことを特徴としている。この構成によると、パッキンが貯蔵室の周囲に密着して貯蔵室内が密閉される。
【００１３】
また本発明は、上記構成の冷蔵庫において、前記断熱扉の背面または背面近傍に前記細孔を形成したことを特徴としている。この構成によると、外面板を下方にして発泡断熱材の原液を注入する際に発泡断熱材は下方から順に発泡成長し、断熱扉内のガスは上方に配される細孔から流出する。
【００１４】
また本発明は、上記構成の冷蔵庫において、前記上キャップの背面に前記細孔を設けるとともに、前記下キャップの下面に前記細孔を設けたことを特徴としている。
【００１５】
また本発明は、上記構成の冷蔵庫において、前記上キャップの上面から下方に突出して前記内面板に対向する第１リブを有し、第１リブに貫通孔を設けたことを特徴としている。この構成によると、断熱扉内のガスは第１リブに設けた貫通孔を通って細孔から流出する。
【００１６】
また本発明は、上記構成の冷蔵庫において、前記下キャップの下面から上方に突出して前記内面板に対向する第２リブを有し、第２リブに貫通孔を設けたことを特徴としている。この構成によると、断熱扉内のガスは第２リブに設けた貫通孔を通って細孔から流出する。
【発明の効果】
【００１７】
本発明によると、上キャップ及び下キャップに細孔を設けたので発泡断熱材の発泡時に断熱扉内のガスが細孔から流出する。これにより、断熱扉内のボイドの発生を防止し、発泡断熱材の硬化時の収縮による上キャップ及び下キャップの変形が低減される。これに伴って内面板の変形も低減され、貯蔵室の密閉性を向上することができる。
【００１８】
また本発明によると、可撓性のパッキンを内面板の周部に設けたので、内面板の変形の低減によってパッキンの反りを低減して貯蔵室の密閉性を向上することができる。
【００１９】
また本発明によると、断熱扉の背面または背面近傍に細孔を形成したので、外面板を下方に配して発泡断熱材を充填する際に細孔が塞がれずに発泡断熱材が下方から順に発泡成長する。従って、ボイドの発生をより確実に防止することができる。
【００２０】
また本発明によると、下キャップの下面に細孔を設けたので、下キャップの細孔を使用者から見えにくくすることができる。また、上キャップの背面に細孔を設けたので、冷蔵庫の下部に断熱扉を配した場合に細孔を上キャップの上面に設けるよりも見えにくくすることができる。従って、冷蔵庫の美感を向上することができる。
【００２１】
また本発明によると、上キャップの上面に第１リブを設けたので、上キャップを第１リブにより補強して上キャップの変形を更に低減できる。また、第１リブに貫通孔を設けたので、断熱扉内のガスを貫通孔を介して細孔に導くことができ、ボイドの発生をより確実に防止できる。
【００２２】
また本発明によると、下キャップの下面に第２リブを設けたので、下キャップを第２リブにより補強して下キャップの変形を更に低減できる。また、第２リブに貫通孔を設けたので、断熱扉内のガスを貫通孔を介して細孔に導くことができ、ボイドの発生をより確実に防止できる。
【発明を実施するための最良の形態】
【００２３】
以下に本発明の実施形態を図面を参照して説明する。説明の便宜上、前述の図６に示す従来例と同一の部分は同一の符号を付している。図１は一実施形態の冷蔵庫を示す斜視図である。冷蔵庫１は複数の貯蔵室２を有し、貯蔵物を冷蔵保存または冷凍保存する。各貯蔵室２の前面開口部は断熱扉３により開閉される。
【００２４】
図２は断熱扉３の断面図を示している。断熱扉３は外面側に配される化粧鋼板や樹脂成形品から成る外面板４を有している。外面板４は両側部を断面コ字型に屈曲して側面部４ａを有し、断熱扉３の正面及び側面が外面板４により覆われる。断熱扉３の内面側には樹脂成形品から成る内面板５が配され、内面板５により断熱扉３の背面が覆われる。
【００２５】
外面板４及び内面板５の上端には樹脂成形品から成る上キャップ６が被嵌される。上キャップ６には上面内側から下方に突出する第１リブ６ｄが内面板５に対向して形成される。第１リブ６ｄと外面板４との間は複数の連結リブ６ｂにより連結され、第１リブ６ｄと内面板５との間は複数の連結リブ６ｃにより連結される。第１リブ６ｄ及び連結リブ６ｂ、６ｃにより上キャップ６が補強される。
【００２６】
図３は図２のＡ部詳細図を示している。上キャップ６の背面側には複数の細孔６ａが設けられる。また、第１リブ６ｄには複数の貫通孔６ｅが設けられる。前述の図１に示すように、下段の断熱扉３は上キャップ６の上面に細孔を設けると上段の断熱扉３を開いた際にこの細孔が露出する。このため、細孔６ａを上キャップ６の背面側に設けて見えにくくすることができる。従って、冷蔵庫１の美感を向上することができる。
【００２７】
図２において、外面板４及び内面板５の下端には樹脂成形品から成る下キャップ７が被嵌される。下キャップ７には下面内側から上方に突出する第２リブ７ｄが内面板５に対向して形成される。第２リブ７ｄと外面板４との間は複数の連結リブ７ｂにより連結され、第２リブ７ｄと内面板５との間は複数の連結リブ７ｃにより連結される。第２リブ７ｄ及び連結リブ７ｂ、７ｃにより下キャップ７が補強される。
【００２８】
図４は図２のＢ部詳細図を示している。断熱扉３の背面近傍の下キャップ７の下面には複数の細孔７ａが設けられる。これにより、細孔７ａを使用者から見えにくくすることができ、冷蔵庫１の美感を向上することができる。また、第２リブ７ｄには複数の貫通孔７ｅが設けられる。
【００２９】
外面板４と内面板５の間には発泡ウレタン等の発泡断熱材８が充填される。図５は発泡断熱材８の充填時の状態を説明する斜視図である。同図において内面板５を省略している。外面板４及び内面板５に上キャップ６及び下キャップ７を被嵌し、外面板４の正面側を下方にして設置される。内面板５の略中央部に設けた注入口から発泡断熱材８の原液８ａが注入される。これにより、原液８ａの注入口が外側に露出しないため、冷蔵庫１の美観を損ねることがない。
【００３０】
発泡断熱材８の原液８ａは周囲に流動して下方から順に発泡成長する。この時、断熱扉３の内部の空気や発泡による二酸化炭素等のガスは前述の図３、図４の矢印Ｃ、Ｄに示すように、貫通孔６ｅ、７ｅを介して細孔６ａ、７ａから流出する。これにより、断熱扉３内のボイドの発生が防止される。
【００３１】
また、細孔６ａ、７ａは断熱扉３の背面及び背面近傍に形成されるので、細孔６ａ、７ａが塞がれずに発泡断熱材８が下方から順に発泡成長する。従って、ボイドの発生をより確実に防止することができる。
【００３２】
図２において、内面板５の周部には環状のパッキン９が設けられる。パッキン９は可撓性の樹脂等から成り、内面板５に設けた係合孔５ａに突起部９ｂが係合して取り付けられる。パッキン９にはマグネット９ａが内装され、マグネット９ａによりパッキン９が貯蔵室２の周囲に密着して貯蔵室２内が密閉される。
【００３３】
本実施形態によると、上キャップ６及び下キャップ７に細孔６ａ、７ａを設けたので発泡断熱材８の発泡時に断熱扉３内のガスが細孔６ａ、７ａから流出する。これにより、断熱扉３内のボイドの発生を防止し、発泡断熱材８の硬化時の収縮による上キャップ６及び下キャップ７の変形が低減される。これに伴って内面板５の変形も低減されるため、パッキン９の反りを低減して貯蔵室２の密閉性を向上することができる。
【００３４】
尚、パッキン９を設けずに弾性を有する内面板５が貯蔵室２の周囲に密着する断熱扉３であってもよい。
【００３５】
また、第１、第２リブ６ｄ、７ｄにより上キャップ６及び下キャップ７を補強して上キャップ６及び下キャップ７の変形を更に低減できる。また、第１、第２リブ６ｄ、７ｄに貫通孔６ｅ、７ｅを設けたので、貫通孔６ｅ、７ｅを介して断熱扉３内のガスを細孔６ａに導くことができ、ボイドの発生をより確実に防止できる。
【産業上の利用可能性】
【００３６】
本発明によると、貯蔵物を冷蔵保存または冷凍保存する冷蔵庫に利用することができる。
【図面の簡単な説明】
【００３７】
【図１】本発明の実施形態の冷蔵庫を示す斜視図
【図２】本発明の実施形態の冷蔵庫の断熱扉を示す断面図
【図３】図２のＡ部詳細図
【図４】図２のＢ部詳細図
【図５】本発明の実施形態の冷蔵庫の断熱扉の発泡断熱材を充填する状態を示す斜視図
【図６】従来の冷蔵庫の断熱扉を示す側面断面図
【符号の説明】
【００３８】
１    冷蔵庫
２    貯蔵室
３    断熱扉
４    外面板
５    内面板
６    上キャップ
６ａ  細孔
６ｄ  第１リブ
６ｅ  貫通孔
７    下キャップ
７ａ  細孔
７ｄ  第２リブ
７ｅ  貫通孔
８    発泡断熱材
８ａ  原液
９    パッキン
９ａ  マグネット
１０    ボイド
【図１】
2008304075.tif 000003
【図２】
2008304075.tif 000004
【図３】
2008304075.tif 000005
【図４】
2008304075.tif 000006
【図５】
2008304075.tif 000007
【図６】
2008304075.tif 000008